(57)【要約】【課題】省電力に優れた光学機器を提供すること【解決手段】カメラは、角速度センサ１２０が検出した振れの信号レベルが所定値未満であるときのフォーカスリング１２８の回転に応じた信号を出力するフォトセンサ１２９の通電時間を角速度センサが検出した振れの信号レベルが所定値以上であるときのフォトセンサの通電時間よりも短くなるようにフォトセンサへの通電を制御するレンズＭＰＵ１３１を有する。【選択図】図４
2014085360.tif 000002
【特許請求の範囲】
【請求項１】
振れ検出手段が検出した振れの信号レベルが所定値未満であるときに、マニュアルフォーカスのために操作されるフォーカスリングの回転に応じた信号を出力する光センサの通電時間を前記振れ検出手段が検出した振れの信号レベルが所定値以上であるときの前記光センサの通電時間よりも短くなるように前記光センサへの通電を制御する制御手段を有することを特徴とする光学機器。
【請求項２】
前記フォーカスリングと、前記光センサと、前記振れ検出手段と、を更に有することを特徴とする請求項１に記載の光学機器。
【請求項３】
前記制御手段は、前記振れ検出手段が検出した振れの信号レベルが所定値未満であるときに前記光センサを間欠通電し、前記振れ検出手段が検出した振れの信号レベルが所定値以上であるときに前記光センサを常時通電し、前記振れ検出手段が振れを検出していないときに前記光センサを無通電することを特徴とする請求項１または２に記載の光学機器。
【請求項４】
マニュアルフォーカスのために操作されるフォーカスリングが回転していることを表す第１の信号と前記フォーカスリングが停止していることを表す第２の信号を出力する光センサが前記第２の信号を出力しているときに前記光センサを間欠通電し、前記光センサが前記第１の信号を出力しているときに前記光センサを常時通電する制御手段を有することを特徴とする光学機器。
【請求項５】
前記フォーカスリングと、前記光センサと、を更に有することを特徴とする請求項４に記載の光学機器。
【請求項６】
前記制御手段は、前記光センサが前記第１の信号を出力している間は前記光センサへの通電状態を維持することを特徴とする請求項４または５に記載の光学機器。
【請求項７】
前記間欠通電は周期を有することを特徴とする請求項３乃至６のうちいずれか１項に記載の光学機器。
【請求項８】
前記光学機器は、カメラ本体に着脱可能なレンズ装置であることを特徴とする請求項１乃至７のうちいずれか１項に記載の光学機器。
【請求項９】
前記光学機器は、光学像を光電変換する光電変換手段を更に有することを特徴とする請求項１乃至８のうちいずれか１項に記載の光学機器。
【請求項１０】
前記光学機器は、物体の光学像を形成する撮影光学系を有するレンズ装置と、光学像を光電変換する光電変換手段を有して前記レンズ装置が着脱されるカメラ本体と、を有するカメラシステムであることを特徴とする請求項１乃至９のうちいずれか１項に記載の光学機器。
【発明の詳細な説明】
【技術分野】
【０００１】
本発明は、光学機器に関する。
【背景技術】
【０００２】
特許文献１は、可動部材の移動に応じて信号を出力する第１のセンサと、可動部材の移動に応じて位相が異なる複数の信号を出力する第２のセンサからの出力信号に基づいて可動部材の位置を検出する位置検出装置を開示している。特許文献２は、フォトセンサへの電源制御手段と通電タイミングを制御する手段を設け、所定時間のみフォトセンサへの通電を行う電源制御装置を開示している。
【先行技術文献】
【特許文献】
【０００３】
【特許文献１】特開２００６−２５８５８６号公報
【特許文献２】特開２００２−９１２４３号公報
【発明の概要】
【発明が解決しようとする課題】
【０００４】
しかしながら、特許文献２は、フォトセンサへの通電を時間で制御しているため、フォトセンサへの通電が必要ないタイミングであっても電力を供給しなければならない。
【０００５】
本発明は、省電力に優れた光学機器を提供することを例示的な目的とする。
【課題を解決するための手段】
【０００６】
本発明の一側面としての光学機器は、振れ検出手段が検出した振れの信号レベルが所定値未満であるときに、マニュアルフォーカスのために操作されるフォーカスリングの回転に応じた信号を出力する光センサの通電時間を前記振れ検出手段が検出した振れの信号レベルが所定値以上であるときの前記光センサの通電時間よりも短くなるように前記光センサへの通電を制御する制御手段を有することを特徴とする。本発明の別の側面としての光学機器は、マニュアルフォーカスのために操作されるフォーカスリングが回転していることを表す第１の信号と前記フォーカスリングが停止していることを表す第２の信号を出力する光センサが前記第２の信号を出力しているときに前記光センサを間欠通電し、前記光センサが前記第１の信号を出力しているときに前記光センサを常時通電する制御手段を有することを特徴とする。
【発明の効果】
【０００７】
本発明によれば、省電力に優れた光学機器を提供することができる。
【図面の簡単な説明】
【０００８】
【図１】本発明のカメラシステムのブロック図である。（実施例１、２）
【図２】図１に示すフォーカスリングの平面図とその部分拡大図である。（実施例１、２）
【図３】像振れ補正レンズを制御する制御系のブロック図である。（実施例１、２）
【図４】図１に示す角速度センサの信号レベルとフォトセンサへの通電パターンの関係を示すタイミングチャートである。（実施例１）
【図５】フォトセンサの通電パターンおよび出力とフォーカスリングの操作との関係を示すタイミングチャートである。（実施例２）
【図６】レンズＭＰＵの動作を説明するためのフローチャートである。（実施例２）
【発明を実施するための形態】
【０００９】
図１は、本実施形態のレンズ交換型のカメラシステム（撮像システム、光学機器）のブロック図である。カメラシステムは、カメラ本体１０１（撮像装置、光学機器）とレンズ装置（交換レンズ、光学機器）１０２と、を有する。レンズ装置１０２は、カメラ本体１０１にマウントを介して着脱可能に装着される。本実施形態は、一眼レフカメラであるが、本発明はいわゆるミラーレスカメラにも適用可能である。また、本発明はレンズ一体型カメラにも適用可能である。カメラはデジタルビデオカメラやデジタルスチルカメラを含む。
【００１０】
カメラ本体１０１は、撮像部（撮像素子）１０３、タイミングジェネレータ（ＴＧ）１０４、ＣＤＳ／ＧＣ１０５、Ａ／Ｄ変換器（ＡＤＣ）１０６、映像信号処理回路１０７、ＬＣＤ１０８、メモリカード１０９、操作部１１０、カメラＭＰＵ１１１を有する。
【００１１】
被写体からの撮影光束はレンズ装置１０２の撮影光学系を通り、光電変換素子としての撮像部（ＣＣＤやＣＭＯＳ）１０３面上に光学像として結像し、撮像部１０３によって光学像は光電変換されて撮像信号（電気信号、アナログ信号）となる。ＴＧ１０４は、撮像部１０３の蓄積動作、読み出し動作及びリセット動作などを制御する。ＣＤＳ／ＧＣ１０５は、撮像部１０３の蓄積電荷ノイズを低減するＣＤＳ回路（２重相関サンプリング回路）、及び撮像信号を増幅するゲインコントロール回路である。ＡＤＣ１０６は増幅された撮像信号をアナログからデジタルの画像データへ変換する。
【００１２】
映像信号処理回路１０７は、画像データに、フィルタ処理、色変換処理及びガンマ処理などの画像処理を施すことにより、画像の合焦状態を表すフォーカス情報の生成や、露出状態を表す輝度信号情報の生成、記録可能なデータ形式への変換が行われる。映像信号処理回路１０７で信号処理された画像信号は、表示部としてのＬＣＤ（液晶ディスプレイ）１０８に表示されたり、着脱可能なメモリカード（記録部）１０９に記録されたりする。
【００１３】
操作部１１０は、カメラメインスイッチや、動画／静止画撮影モードの設定や、動画の録画、静止画撮影を行うためのスイッチ類を有する。カメラＭＰＵ１１１は各部の動作を制御する制御手段であり、インターフェース回路１１２を介して、レンズ装置１０２のレンズＭＰＵ１１３と通信する。この通信では、レンズ装置１０２の撮影光学系の駆動命令を送信したり、フォーカスリング１２８の制御設定、動画／静止画撮影モードの状態、録画中、撮影中などの動作状態などのデータを送受信したりする。
【００１４】
カメラ本体１０１とレンズ装置１０２はマウントにより、機械的および電気的に接続されている。マウントのインターフェース回路１１２を経由して両者は通信可能に接続されると共に、レンズ装置１０２はカメラ本体１０１から電源を取得し、各種アクチュエータの駆動電源、レンズＭＰＵ１１３の処理用電源等として消費している。
【００１５】
レンズ装置１０２は撮影光学系とレンズＭＰＵ（制御手段）１１３を有する。
【００１６】
撮影光学系は、複数の光学レンズユニット（光学素子）により構成され、物体（被写体）の光学像を形成する。本実施例の撮影光学系は、被写体像の入射方向から順に、フォーカスレンズ１１４、ズームレンズ（変倍レンズ）１２６、像振れ補正レンズ１１７、絞り１２２が配置されている。
【００１７】
フォーカスレンズ１１４は、レンズＭＰＵ１１３からの制御信号によりフォーカス制御回路１１６及びフォーカスレンズ駆動用モータ１１５を介して光軸方向に駆動され、焦点調節を行う。
【００１８】
フォーカスリング１２８は、フォーカスレンズ１１４の駆動をマニュアル（手動）操作により行い、マニュアルフォーカスを与えることを可能にする操作部（可動部材）である。フォトセンサ（光センサ）１２９は、フォーカスリング１２８の回転移動に応じた信号を出力する。フォトセンサ１２９は、発光素子と受光素子を含み、フォーカスリング１２８のスリットが発光素子と受光素子の光路に一致すれば発光素子からの光が遮光されずに受光素子に届き、発光素子からの出力はＨｉｇｈになる。また、フォーカスリング１２８の遮光部が発光素子と受光素子の光路に一致すれば発光素子からの光が遮光される。フォトセンサ１２９の出力は、シュミットインバータ１３０を介してレンズＭＰＵ１１３に入力され、センサ検出部１３２でフォーカスリング１２８の回転検出を行う。
【００１９】
図２は、フォーカスリング１２８の平面図とその部分拡大図であり、拡大図は二点鎖線で囲った円の側面図であるが、一部を透過している。多数のスリット１２８ａと遮光部１２８ｂが周方向に設けられたフォーカスリング１２８の回転をフォトセンサ１２９で検出する。フォトセンサ１２９は、一対のフォトセンサ１２９ａ、１２９ｂから構成され、フォトセンサ１２９ａ、１２９ｂは、出力信号の位相が９０度ずれるように配置されている。
【００２０】
ズームレンズ１２６の位置は、ボリュームエンコーダ１２７からの出力をレンズＭＰＵ１１３内のＡ／Ｄ変換部がデジタル信号に変換することによって検出される。ズームレンズ１２６は、光軸方向に移動されて焦点距離を変更する。
【００２１】
像振れ補正レンズ１１７は、像振れ補正制御回路１１８、リニアモータ１１９を介して撮影光学系の光軸に直交する方向の成分を持つように駆動される。像振れ補正レンズ１１７の位置は、エンコーダなどの補正レンズ位置検出部１２１によって検出される。
【００２２】
像振れ補正では、まず、カメラの振動を検出する。振動は、角加速度、角速度、角変位等を検出する振れセンサと、振れセンサの出力信号を電気的あるいは機械的に積分して角変位を出力する振れ検出回路とよりなる振れ検出手段によって検出される。
【００２３】
本実施形態では、ジャイロセンサ等から構成される角速度センサ１２０が検出した角速度を表す振れ信号がレンズＭＰＵ１１３に入力される。レンズＭＰＵ１１３は、像振れ補正レンズ１１７の目標位置を算出し、目標位置と補正レンズ位置検出部１２１が検出した実際の位置との差に応じた駆動信号を像振れ補正制御回路１１８に出力する。像振れ補正は、補正レンズ位置検出部１２１から出力される補正レンズ位置信号を像振れ補正制御回路１１８にフィードバックすることで行われる。
【００２４】
図３は、この様子を示す像振れ補正装置の電気的な概略構成を示すブロック図である。角速度センサ１２０の出力は、増幅、ハイパスフィルタ、ローパスフィルタ等を行う信号処理回路３０３で処理される。信号処理回路３０３は、図１では省略されているが、角速度センサ１２０とレンズＭＰＵ１１３との間に設けられている。次いで、信号処理回路３０３の出力は、レンズＭＰＵ１１３内のＡ／Ｄ変換部３０４でデジタル信号に変換され、オフセット除去、ハイパスフィルタ、積分などのデータ処理がデータ処理部３０５にて行われる。また、補正レンズ位置検出部１２１の出力は、ローパスフィルタ等を行う信号処理回路３０７で処理される。信号処理回路３０７は、図１では省略されているが、補正レンズ位置検出部１２１とレンズＭＰＵ１１３との間に設けられている。信号処理回路３０７の出力は、レンズＭＰＵ１１３内のＡ／Ｄ変換部３０８によってデジタル信号に変換され、増幅等のデータ処理がデータ処理部３０９にて行われる。データ処理部３０５、３０９からの二つの信号をレンズＭＰＵ１１３内のフィードバック演算部３１０が演算し、増幅及び公知の位相進み補償をレンズＭＰＵ１１３内の位相進み補償部３１１が行う。位相進み補償部３１１からの信号は像振れ補正レンズ１１７の駆動信号として像振れ補正制御回路１１８に出力される。像振れ補正制御回路１１８は、この出力に基づいてリニアモータ１１９を駆動する信号を生成する。
【００２５】
像振れ補正は、撮影者が手持ちで撮影する場合、三脚に取り付けて撮影する場合など様々な状況に応じた最適な特性がある。例えば、一眼レフカメラを手持ちで撮影をする際には、手振れによる低周波の振れまで補正するように特性を設定する。一方、一眼レフカメラを三脚に取り付けて撮影をする場合は、低周波の手振れが無いのでカメラのクイックリターンミラーやシャッターによる高周波の振動のみを補正するように像振れ補正特性を設定する方が良い。これは、低周波を効かせてしまうと振れセンサのドリフトにより結像性能が低下してしまうからである。
【００２６】
そこで、カメラの支持状態を検出し、その支持状態に応じた像振れ補正特性を設定することが好ましい。カメラの支持状態を検出する方法として、ある所定時間内の角速度センサ１２０の信号レベルが所定値（閾値）より小さければ三脚取り付け状態と判定する方法を利用することができる。また、本実施形態は、角速度センサ１２０の信号レベルの所定値に基づいて、フォトセンサ１２９への通電状態を変化させる。
【００２７】
絞り１２２は、レンズＭＰＵ１１３からの制御信号により絞り制御回路１２４及びステッピングモータ１２３を介して駆動され、撮像部１０３に入射する光量を調整する。
【００２８】
スイッチ１２５は、像振れ補正ＯＮ／ＯＦＦ選択用スイッチや、オートフォーカスとマニュアルフォーカス選択スイッチを含む。
【００２９】
レンズＭＰＵ１１３は、レンズ装置１０２の各部を制御する。レンズＭＰＵ１１３は、電力供給制御部（通電制御手段）１３１とセンサ検出部１３２を含む。電力供給制御部１３１は、フォトセンサ１２９に電力を供給または供給停止する。電力供給制御部１３１によるフォトセンサ１２９の通電状態は、本実施例では、無通電、間欠通電および常時通電である。電力供給制御部１３１は、振れセンサが検出した信号レベルが小さいときは通電時間が短く、振れセンサが検出した信号レベルが大きいときは通電時間が長くなるように振れセンサの検出結果に基づいて通電状態を変化させる。センサ検出部１３２は、フォトセンサ１２９からの出力信号に基づいてフォーカスリング１２８の位置や速度を検出する。
【実施例１】
【００３０】
図４は、角速度センサ１２０の信号レベルとフォトセンサ１２９への通電パターンの関係を示すタイミングチャートである。なお、本実施例では、レンズＭＰＵ１１３（の電力供給制御部１３１）がフォトセンサ１２９の通電を制御するが、カメラＭＰＵ１１１がこれを行ってもよい。もちろんレンズ一体型カメラであればカメラＭＰＵ１１１がこれを行う。
【００３１】
所定周期信号は、レンズＭＰＵ１１３内の不図示の信号生成部が不図示のクロック信号と設定された周期から生成、出力する信号であり、間欠通電と常時通電の通電信号の通電ＯＮのタイミングを表す信号である。間欠通電の通電信号の通電ＯＦＦのタイミングは（図４では所定周期信号の立ち下がりに同期しているように見えるが）所定周期信号に拘束されない。通電オンをハイ（Ｈｉｇｈ）レベル、通電オフをロー（Ｌｏｗ）レベルで表している。
【００３２】
通電信号は、電力供給制御部１３１から出力されるフォトセンサ１２９を通電するための信号である。所定周期信号と同様に、通電オンをＨｉｇｈレベル、通電オフをＬｏｗレベルで表している。通電信号の通電ＯＮの立ち上がりは図４では、所定周期信号の立ち上がりに同期しているが、立ち下がりに同期していてもよい。
【００３３】
フラグ１は、レンズＭＰＵ１１３に設けられており、レンズＭＰＵ１１３が所定時間内の角速度センサ１２０の信号レベルが所定値より小さいと判別したときにＨｉｇｈレベルとなる。フラグ２は、レンズＭＰＵ１１３に設けられており、レンズＭＰＵ１１３が所定時間内の角速度センサ１２０の信号レベルが所定値より大きいと判別したときにＨｉｇｈレベルとなる。本実施例では、フラグ１、２が使用する所定値は同一の値であり、それはカメラが三脚支持か手持ちかを識別するための上述した角速度センサ１２０の信号レベルの所定値である。フラグ１、２の立ち上がりタイミングは角速度センサ１２０の信号レベルに依存し、所定周期信号や通電信号とは非同期である。
【００３４】
破線ａまではフォトセンサ１２９は無通電であり、通電信号はＬｏｗレベルとなっている。これは、フラグ１、２はともにＬｏｗレベルであるため、角速度センサ１２０の信号レベルの検出を行っていない状態である。例えば、カメラがオートパワーオフ（スリープモード）にあるときやパワーアクチュエータの電源を切るモードであるときである。
【００３５】
破線ａから破線ｂの期間では、フォトセンサ１２９は間欠通電される。破線ａ地点でフラグ１がＨｉｇｈレベルへ変化したため、三脚取り付け状態と判別される。カメラが三脚に取り付けられた時にはフォーカスリング１２８が使用される頻度が手持ちよりも低いことからフォトセンサ１２９を常時通電ではなく、間欠通電として省電力を図っている。
【００３６】
このため、フラグ１が立つと、それに同期してフォトセンサ１２９への通電を開始し、所定周期信号に同期して通電信号のＨｉｇｈ／Ｌｏｗを繰り返し、間欠通電を行う。上述したように、通電信号の立ち上がりのタイミングは所定周期信号に同期しているが、通電信号の立ち下りのタイミングは所定周期信号に同期しておらず、内部クロックなどによって決定される。通電信号のＯＮ時間は調節可能に構成されてもよい。
【００３７】
本実施例の通電信号の通電ＯＮは所定周期信号に同期しているから周期的である。ランダムに（非周期的に）通電ＯＮがなされるとフォーカスリング１２８の移動検出に時間がかかるとユーザが感じる場合もあるので、周期性がある方が好ましい。間欠通電のデューティー比の下限は、センサ検出部１３２がフォーカスリング１２８の位置や速度を検出可能であることが必要であり、上限は省電力の観点から設定される。しかし、通電ＯＮの周期を長くとり過ぎるとフォーカスリング１２８の移動検出に時間がかかり過ぎることになるので小さ過ぎることもよくない。このため、間欠通電のデューティー比は、例えば、１０％以上５０％以下、好ましくは１０％以上３０％以下に設定される。
【００３８】
破線ｂ以降はフォトセンサ１２９への通電は常時通電である。破線ｂ地点でフラグ１がＬｏｗレベルに変化してフラグ２がＨｉｇｈレベルへと変化したため、三脚取り付け状態から像振れ状態へと変化したと判別できる。フラグ２に同期してフォトセンサ１２９への通電状態を間欠通電から常時通電へと変化させるため、通電信号は常時Ｈｉｇｈに変化する。
【００３９】
なお、本実施例は、２つのフラグ１、２を使用して、無通電、間欠通電、常時通電を区別しているが、無通電を区別する必要がなければ、共に同じ所定値を使用しているので、例えば、フラグ２など１つのフラグのみを使用してもよい。
【００４０】
本実施例では、角速度センサ１２０が検出した振れの信号レベルが所定値未満でカメラが三脚に支持されていると判断された場合にはフォトセンサ１２９の通電時間を短くして間欠通電にしている。また、角速度センサ１２０が検出した振れの信号レベルが所定値以上でカメラが手持ちであると判断された場合にはフォトセンサ１２９の通電時間を長くして常時通電にしている。このように、フォーカスリング１２８が操作される頻度が低い三脚支持状態においてフォトセンサ１２９を常時通電ではなく間欠通電することによって省電力化を図っている。また、無通電ではなく間欠通電をすることによってフォーカスリング１２８が操作された場合に迅速に対応することができる。
【００４１】
本実施例では、無通電、間欠通電、常時通電と段階的に通電状態は変化しているが、これに限られるものではなく、フラグ１、２の極性変化によって通電状態が選択される。
【実施例２】
【００４２】
図５は、フォトセンサ１２９の通電パターンおよび出力とフォーカスリング１２８の操作との関係を示すタイミングチャートである。フォトセンサ出力Ａ、Ｂは、それぞれフォトセンサ１２９ａの出力とフォトセンサ１２９ｂの出力を表している。これらの信号は、シュミットインバータ１３０を介してレンズＭＰＵ１１３に入力される。実線は実際の出力を表し、破線はフォーカスリング１２８が回転移動されているときの出力を表す。所定周期信号と通電信号の定義は図４と同様である。また、本実施例では、レンズＭＰＵ１１３（の電力供給制御部１３１）がフォトセンサ１２９の通電を制御するが、カメラＭＰＵ１１１がこれを行ってもよい点も実施例１と同様である。
【００４３】
即ち、フォトセンサ１２９は、図５のｂの右側に示すように、フォーカスリング１２８が回転していることを表す第１の信号と、図５のｂの左側に示すように、フォーカスリング１２８が停止していることを表す第２の信号を出力することができる。
【００４４】
フォーカスリング操作は、静止中はＬｏｗレベル、操作中はＨｉｇｈレベルを表している。なお、図５では、フォーカスリング１２８が静止中であるときに、フォトセンサ出力Ａ、Ｂの極性は両方ともＨｉｇｈレベルである。
【００４５】
破線ｂまではフォトセンサ１２９は間欠通電される。所定周期信号に同期して所定周期信号に同期して通電信号のＨｉｇｈ／Ｌｏｗを繰り返し、間欠通電を行う。このときフォーカスリング１２８は操作されていないため、間欠通電時のフォトセンサ出力Ａ，Ｂは本実施例では両方ともＨｉｇｈレベルとなる。もちろん、フォーカスリング１２８が回転していないときのフォトセンサ出力Ａ，ＢはどちらかがＬｏｗレベルなど図５に限定されるものではない。
【００４６】
破線ｂ地点において、フォーカスリング１２８が回転操作され、フォトセンサ出力ＡがＬｏｗレベルへと変化し、所定周期に同期して通電オンした後の通電状態は常時通電となる。通電信号は、フォーカスリング操作と同期しておらず、実施例１と同様に、フラグ１、２および所定周期信号に同期する。フォーカスリング操作中、つまり、センサ検出部１３２がフォトセンサ出力Ａ、Ｂが変化している間はそれらが常時検出されるように、フォトセンサ１２９への常時通電から変化させない（つまり維持する）ことによって検出漏れを防いでいる。
【００４７】
図６は、レンズＭＰＵ１１３による動作を説明するためのフローチャートであり、「Ｓ」はステップの略である。
【００４８】
電源が投入され、レンズＭＰＵ１１３は、角速度センサ１２０による検出が行われているかどうかを判断する（Ｓ１０１）。レンズＭＰＵ１１３は、角速度センサ１２０による検出が行われていないと判断すると（Ｓ１０１のＮＯ）、電力供給制御部１３１は通電信号を無通電にする（Ｓ１０２）。一方、レンズＭＰＵ１１３は、角速度センサ１２０による検出が行われていると判断すると（Ｓ１０１のＹＥＳ）、角速度センサ１２０の出力をＡ／Ｄ変換し（Ｓ１０３）、積分などのデータ処理を行う（Ｓ１０４）。次に、レンズＭＰＵ１１３は、角速度センサ１２０の信号レベルが所定値以上かどうかを判断し（Ｓ１０５）、所定値以上であれば（Ｓ１０５のＹＥＳ）、電力供給制御部１３１は通電信号を常時通電する（Ｓ１０６）。一方、角速度センサ１２０の信号レベルが所定値未満であれば（Ｓ１０５のＮＯ）、電力供給制御部１３１は通電信号を間欠通電する（Ｓ１０７）。これによって、常時通電よりも省電力となる。レンズＭＰＵ１１３は、フォーカスリング１２８が操作されたと判断すると（Ｓ１０８のＹＥＳ）、常時通電をする（Ｓ１０６）。レンズＭＰＵ１１３は、フォーカスリング１２８が静止中と判断すると（Ｓ１０８のＮＯ）、Ｓ１０５に移行する。
【００４９】
本実施例では、レンズＭＰＵ１１３（の電力供給制御部１３１）は、フォトセンサ１２９が第２の信号を出力しているときにフォトセンサ１２９を間欠通電し、フォトセンサ１２９が第１の信号を出力しているときにフォトセンサ１２９を常時通電する。このように、フォーカスリング１２８が操作されていないときにはフォトセンサ１２９を常時通電ではなく間欠通電することによって省電力化を図っている。また、無通電ではなく間欠通電をすることによってフォーカスリング１２８が操作された場合に迅速に対応することができる。
【００５０】
以上、本発明の好ましい実施形態について説明したが、本発明はこれらの実施形態に限定されず、その要旨の範囲内で種々の変形及び変更が可能である。
【産業上の利用可能性】
【００５１】
本発明は、レンズ一体型のカメラシステム、交換レンズ、カメラ本体に適用することができる。
【符号の説明】
【００５２】
１１１…カメラＭＰＵ（制御手段）、１１３…レンズＭＰＵ（制御手段）、１２０…角速度センサ（振れ検出手段）、１２９…フォトセンサ（光センサ）、１３１…電力供給制御部（通電制御手段）
【図１】
2014085360.tif 000003
【図２】
2014085360.tif 000004
【図３】
2014085360.tif 000005
【図４】
2014085360.tif 000006
【図５】
2014085360.tif 000007
【図６】
2014085360.tif 000008